(57)【要約】【課題】地震時に高さ調整用の脚を備えない什器の動きを抑えて耐震性を増す簡単に設置することができる耐震固定具を提供する。【解決手段】什器の壁面と什器が載置される建造物の床又は壁の固定面との間に置かれて前記什器の耐震性を高める耐震固定具であって、前記固定面に付着される固定面付着部と什器に付着される什器付着部とが関節部で接続され前記関節部において前記固定面付着部と前記什器付着部とのなす角度が可変であるように前記関節部で前記固定面付着部と接続されるエクステンションボルトの延長部の穴と前記什器付着部に設けられた穴とが同軸で接続される。【選択図】図１
2019070413.tif 000002
【特許請求の範囲】
【請求項１】
什器の壁面と什器が設置される建造物の床又は壁の固定面との間に置かれて前記什器の耐震性を高める耐震固定具であって、
前記固定面に付着される固定面付着部と什器にねじ止めされる什器付着部とが関節部で接続され前記関節部において前記固定面付着部と前記什器付着部とのなす角度が可変であるように構成されることを特徴とする耐震固定具。
【請求項２】
前記関節部で前記固定面付着部と接続されるエクステンションボルトの延長部の穴と前記什器付着部に設けられた穴とが同軸で接続されることを特徴とする請求項１に記載の耐震固定具。
【請求項３】
前記什器付着部が、前記什器に接続するための複数の穴を有する板状の部材であることを特徴とする請求項１又は２に記載の耐震固定具。
【請求項４】
前記板状の部材の複数の穴が大きさの異なる穴を含むことを特徴とする請求項３に記載の耐震固定具。
【発明の詳細な説明】
【技術分野】
【０００１】
本発明は、什器の耐震性を高める耐震固定具に関する。
【背景技術】
【０００２】
工場に設置された装置や倉庫の部品収納棚などの地震による什器の転倒や移動を防ぐために様々な耐震固定具が開発されてきた。什器に高さ調整用の脚が付属する場合はこの脚を個別に固定して耐震性を確保している（例えば、特許文献１参照）。また什器を全体として固定するために床との間の摩擦係数を大きくした什器の平面よりも大きな板状部材を用意して什器の高さ調整用の脚を固定して耐震性を得ることが行われている（例えば、特許文献２参照）。
【先行技術文献】
【特許文献】
【０００３】
【特許文献１】特開２００８−１７４９００号公報
【特許文献２】特開２０１３−１６７１４７号公報
【発明の概要】
【発明が解決しようとする課題】
【０００４】
しかしながら、特許文献１に記載された従来の高さ調整用の脚の固定具は構造が複雑で設置に手間がかかり固定具も高価になりやすい。また特許文献２に記載された板状の耐震什器は什器を設置する前に用意しておく必要があり既に設置されている什器の耐震策としては使えない。
【０００５】
耐震性を求められる什器には高さ調整用の脚を備えないものも多くあるので什器の側面を用いて什器を固定することが望まれていた。したがって、本発明の目的は、地震時に高さ調整用の脚を備えない什器の動きを抑えて耐震性を増す簡単に設置することができる耐震固定具を提供することにある。
【課題を解決するための手段】
【０００６】
本発明の耐震固定具は、什器の壁面と什器が設置される建造物の床又は壁の固定面との間に置かれて前記什器の耐震性を高める耐震固定具であって、前記固定面に付着される固定面付着部と什器に付着される什器付着部とが関節部で接続され前記関節部において前記固定面付着部と前記什器付着部とのなす角度が可変であるように構成される。
【０００７】
什器に付着される什器付着部と床や壁などの固定面に付着する固定面付着部との間に関節部が有るので什器と固定面との間の角度の自由度が高くなる。
【０００８】
本発明の耐震固定具は、前記関節部で前記固定面付着部と接続されるエクステンションボルトの延長部の穴と前記什器付着部に設けられた穴とが同軸で接続される。
【０００９】
前記固定面付着部と接続されるエクステンションボルトの延長部の穴と前記什器付着部に設けられた穴とが同軸で接続されるので固定面付着部と什器付着部のなす角度の自由度が増す。
【００１０】
本発明の耐震固定具は、什器付着部が、前記什器に接続するための複数の穴を有する板状の部材である。
【００１１】
什器付着部が、前記什器に接続するための複数の穴を有するので固定する什器の穴の位置に柔軟に合わせて使う穴を選ぶことで固定具の設置が容易になる。
【００１２】
本発明の耐震固定具は、板状の部材の複数の穴が大きさの異なる穴を含む。
【００１３】
板状の部材の複数の穴が大きさの異なる穴を含むので通常のボルトの他にタップねじなどにも対応することができる。
【発明の効果】
【００１４】
本発明によれば、什器と床面を自由度が高い状態で接続するので地震の際に床面に設置される什器の移動や転倒を簡便に抑えることができる。
【図面の簡単な説明】
【００１５】
【図１】本発明の実施例を示す（Ａ）正面図、（Ｂ）側面図である。
【図２】什器への適用例の説明図である。
【発明を実施するための形態】
【００１６】
以下、本発明の実施形態を図面に基づいて説明する。図１に示す本実施形態の耐震固定具は、什器が設置される建造物の床又は壁の固定面との間に置かれて前記什器の耐震性を高める耐震固定具である。この耐震固定具は建造物の床や壁などの固定面に付着する固定面付着部４０と什器の壁面に付着する什器付着部と９を備える。固定面付着部４０は接着層２を有する固定面接着板１及びエクステンションボルト５が螺合する固定面ナット３を備える。什器付着部９は複数の大きさの異なる穴１０，１１を有する板状の部材である。
【００１７】
関節部４１はエクステンションボルト５の延長部６と什器に自在に接続する什器付着部９の下端が組み合わされて構成される。
【００１８】
エクステンションボルトは頭部に所用の目的別に適合した延長部を有している。図１（Ｂ）を用いて今回用いたエクステンションボルトの説明をする。このエクステンションボルト５は頭部に同軸ボルトを挿通する穴を有する延長部６の片面がボルトの軸中心になるようにずれた位置でボルトの頭部に融着されている。接続部では什器付着部の板状の部材の穴と延長部の頭部に設けられた穴を同軸にして同軸ボルト７を通すことで固定面付着部と什器付着部のなす角度を自由に取ることができる。同軸ボルト７を同軸ナット８で締めることで固定面付着部４０と什器付着部９のなす角度を固定することができる。
【００１９】
本発明の固定具の設置手順を以下に説明する。（１）什器と固定面の取り付け位置を仮決めして各ナットを仮止めする。（２）什器と固定面の接着に使う面をアルコールで清掃する。（３）接着層の保護紙を剥がしプライマーを均一に塗布する。（４）固定面付着部の接着を行う。（５）接着層が接着される面になじむように圧力を加える。（６）所定の位置が決まったら固定具の各ボルトを規定のトルクで締める。
【００２０】
図２は什器の一つである物品棚へ本発明の固定具を適用した場合である。重量の大きい什器に対しても本発明の固定具は直径１０ｃｍΦの接着層３を用いた場合は３００Ｋｇの転倒耐力、移動耐力を持つので有効に什器の耐震性を高めることができる。
【００２１】
本発明を実施するための最良の構成、方法などは、今までの記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００２２】
１  固定面付着部
２  付着層
３  固定面ナット
４  ワッシャー
５  エクステンションボルト
６  エクステンションボルトの延伸部
７  同軸ナット
８  同軸ボルト
９  什器付着部（自在接続部）
２０耐震固定具
３０什器
４０固定面付着部
４１関節部
【図１】
2019070413.tif 000003
【図２】
2019070413.tif 000004